(57)【要約】【課題】録画中に秘話機能を使用し、その録画データを他の端末に公開する際には、秘話部分の秘匿が必要である。【解決手段】利用者操作による通常通話状態と秘話状態とを切り替える状態切替部と、音声情報、映像情報、状態の切り替え時刻及び当該切り替え時刻前後で通常通話状態か秘話状態かを表す秘話状態情報を記録ファイルとして記録する記憶部と、メモリ上に展開した各種プログラムに対応した機能を実現させるように制御する制御部と、を有し、制御部は、記録ファイルを他の端末やファイルサーバーに転送する場合、記録ファイルの秘話状態情報に基づいて、秘話状態の部分を転送有無の制御を行う。【選択図】図１
2013115457.tif 000002
【特許請求の範囲】
【請求項１】
ネットワークを介して行われる遠隔会議の会議内容を記録再生する遠隔会議記録再生装置であって、
前記遠隔会議の音声情報及び映像情報を前記ネットワークに送信するための音声ストリーム及び映像ストリームに符号化するストリーム処理部と、
前記遠隔会議の音声情報および映像情報を録画ファイルとして記録し、前記遠隔会議を記録中における当該遠隔会議の利用者による操作に基づき、当該録画ファイル中の時間区間に関して当該遠隔会議の録画ファイルの利用の制限の有無を示す状態情報を録画関連情報ファイルとして記録する記憶部と、
前記ストリーム処理部および前記記憶部を制御する制御部と、を有し、
前記制御部は、前記記憶部に記録している前記録画ファイルを前記ネットワークに送信する場合、前記記憶部に記憶している前記録画関連情報ファイルの前記状態情報に基づいて、前記録画ファイルを構成する前記音声情報および前記映像情報のうち前記制限が無い部分のみ送信する
ことを特徴とする遠隔会議記録再生装置。
【請求項２】
請求項１記載の遠隔会議記録再生装置において、
前記制御部は、前記記憶部に記録している前記録画ファイルを前記ネットワークに送信する場合、前記録画関連情報ファイルの前記状態情報に基づいて、前記録画ファイルのうち前記制限がある部分が存在する場合は前記録画ファイルを送信せず、前記録画ファイルに前記制限がある部分が存在しない場合は前記録画ファイルを送信する
ことを特徴とする遠隔会議記録再生装置。
【請求項３】
請求項１または２記載の遠隔会議記録再生装置において、
前記制御部は、前記記憶部に記録している前記録画ファイルを前記ネットワークに送信する場合、前記遠隔会議の記録中には前記録画ファイルの送信処理を実行せず待機し、前記遠隔会議の記録中でない場合に前記録画ファイルの送信処理を実行する
ことを特徴とする遠隔会議記録再生装置。
【請求項４】
請求項１ないし３記載の遠隔会議記録再生装置において、
さらに前記制限の有無を切り替える指示を利用者から受け付ける状態切替部を備え、
前記制御部は、前記状態切替部により前記制限の有無が切り替えられた時刻によって、前記状態情報における前記時間区間の開始時刻及び終了時刻を設定することを特徴とする遠隔会議記録再生装置。
【請求項５】
ネットワークを介して行われる会議の会議内容を記録再生する遠隔会議記録再生方法において、
遠隔会議の音声情報および映像情報を録画ファイルとして記録するステップと、
前記遠隔会議の記録中における利用者の操作に基づき、当該録画ファイルの時間区間に関して、当該遠隔会議の録画ファイルの利用に制限の有無を示す状態情報を設定する指示を受け付けるステップと、
前記前記状態情報を前記時間区間と対応付けて録画関連情報ファイルとして記録するステップと、
前記録画ファイルを送信するステップと、を備え、
前記送信するステップでは、前記録画関連情報ファイルの前記状態情報に基づいて、前記録画ファイルを構成する前記音声情報および前記映像情報のうち前記制限の無い部分のみ送信する
ことを特徴とする遠隔会議記録再生方法。
【請求項６】
請求項５記載の遠隔会議記録再生方法において、
前記送信するステップで、前記録画関連情報ファイルの前記状態情報に基づいて、前記録画ファイルに前記制限がある部分が存在する場合は前記録画ファイルを送信せず、前記録画ファイルに前記制限が無い場合は前記録画ファイルを送信する
ことを特徴とする遠隔会議記録再生方法。
【請求項７】
請求項５または６記載の遠隔会議記録再生方法において、
前記送信するステップで、前記録画ファイルを前記ネットワークに送信する場合、前記遠隔会議の記録中には前記録画ファイルの送信処理を実行せず待機し、遠隔会議を記録中でない場合に前記録画ファイルの送信処理を実行する
ことを特徴とする遠隔会議記録再生方法。
【請求項８】
請求項５ないし７記載の遠隔会議記録再生方法において、
前記遠隔会議の記録中に利用者から前記制限の有無の切り替えの指示を受け付ける状態切り替えステップを有し、
前記制限の有無の切り替えの前記指示に対応して、前記制限の有無の切り替えの前記指示を受け付けた時刻により前記状態情報における時間区間の設定をすることを特徴とする遠隔会議記録再生方法。
【発明の詳細な説明】
【技術分野】
【０００１】
本発明は、遠隔会議端末の記録再生装置およびその記録再生方法に係わり、特に、遠隔会議を録画したファイルを他の記録再生装置やパソコンから再生可能とするため、それらの端末からアクセス可能なファイルサーバーへ録画ファイルを転送する場合に、所定の条件により録画ファイルの少なくとも一部の転送処理を制御する技術に関する。
【０００２】
ここでの遠隔会議とは、テレビ会議システムやテレビ電話システム、パーソナルコンピュータを用いて映像および音声を通信するシステム等、通信ネットワークや通信回線を介して端末間で行われる会議のことを言う。
【背景技術】
【０００３】
一般的に、遠隔会議システムには、会議中の自映像や相手映像を録画して、後で再生できるような製品が存在する。さらに、相手側に自分側の音声が聞こえないようにする秘話機能を搭載している製品が存在する。
【０００４】
また、秘話機能に関する遠隔会議システムの従来技術として、例えば特許文献１には、遠隔会議装置自体に、画像と音声の出力をミュートする制御部を設けることで、簡易で安価な秘匿あるいは秘密保持を高めるための技術が提案されている。
【先行技術文献】
【特許文献】
【０００５】
【特許文献１】特開平１０−２２４４８５号公報
【発明の概要】
【発明が解決しようとする課題】
【０００６】
ところで、上記の特許文献１を含めた一般的な遠隔会議システムでは、録画中に秘話機能を使用した場合、後日その録画したファイルを他の遠隔会議システムやパソコンといった端末から再生する際に、秘話機能を使用した部分のみ再生できないようにするといった制限ができないため、情報セキュリティの観点で使い勝手に欠けるところがあった。
本発明は、遠隔会議の記録中に各種の情報を付された録画ファイルを、他の端末からアクセス可能なファイルサーバーへ転送する場合に、前記付された情報に応じた条件に従い録画ファイルの転送の制御を行う遠隔会議記録再生装置を提供することを目的とする。
【課題を解決するための手段】
【０００７】
前記課題を解決するために、本発明は例えば特許請求の範囲に記載の構成を採用する。
【発明の効果】
【０００８】
本発明によれば、遠隔会議システムにおける録画中に所定の情報を付された録画ファイルを、他の端末で再生可能なようにファイルサーバーへ転送して録画ファイルを公開する場合に、公開したくない部分を除いてファイルサーバーへ転送することができるようになり、情報セキュリティ面での使い勝手が向上する。
【図面の簡単な説明】
【０００９】
【図１】本発明の実施形態に係るテレビ会議記録再生装置を用いた全体システムを示す構成図の一例である。
【図２】本実施形態に係るテレビ会議記録再生装置の内部構成とその周辺構成を示すブロック図の一例である。
【図３】図２に示す記憶部から読み出されてメモリに展開されたプログラムの具体例を示す図である。
【図４】図２に示す記憶部に記憶されている録画ファイルリストの一具体例を示す図である。
【図５】本実施形態に関するテレビ会議中に記録された映像ストリームおよび音声ストリームの再生時に行う認証処理の一具体例を示すフローチャートである。
【図６】図２に示す記憶部に記憶されている設定ファイルの一具体例を示す図である。
【図７】本実施形態に関するテレビ会議の録画ファイルをファイルサーバーへアップロードする際の処理の具体例を示すフローチャートである。
【図８】ネットワーク３から取得した予約リストの一具体例を示す図である。
【図９】本実施形態に関するテレビ会議の録画ファイルをファイルサーバーへのアップロードする際の処理の他の一具体例を示すフローチャートである。
【図１０】本実施形態に係るテレビ会議記録再生装置が適用されるテレビ会議システムの構成例を示す図である。
【発明を実施するための形態】
【００１０】
以下、本発明の実施の形態を、遠隔会議の一例として、テレビ等のモニターを用いるテレビ会議を例にとって説明する。
【００１１】
＜１．全体システム構成＞
本発明の一実施形態に係るテレビ会議記録再生装置の基本的構成について、図１〜図３を用いて以下説明する。なお、以下の実施形態では、テレビ会議記録再生装置をテレビ会議端末とするものであるが、本発明はこれに限るものではなく、通信と通信内容の記録再生を行う通信端末に適用可能である。
【００１２】
図１は、本実施形態に係るテレビ会議記録再生装置を用いた全体システムの一例を示す構成図である。１と２はテレビ会議記録再生装置、３はネットワーク、４はカメラ、５はモニター、６はマイク、７はスピーカー、８はリモコン、９は録画ファイルサーバー、１０はパソコンである。図１において、テレビ会議記録再生装置１は、カメラ４、モニター５、マイク６、スピーカー７と接続され、映像と音声の入出力を行うことができる。なお、テレビ会議記録再生装置２はテレビ会議記録再生装置１と同様の装置および構成である。
【００１３】
テレビ会議記録再生装置１は、ネットワーク３を介してテレビ会議記録再生装置２とテレビ会議を行うことができる。テレビ会議記録再生装置１の操作はリモコン８で行うことができる。ここで、テレビ会議記録再生装置１，２は音声情報を含めた映像情報を取り扱う装置であって、記録したテレビ会議内容を再生するに場合、映像情報については常時再生するが、音声情報については秘話機能をもつので常に再生するとは限らないものである。
【００１４】
カメラ４は、テレビ会議記録再生装置１と接続され、撮影した映像信号をテレビ会議記録再生装置１へ出力する。モニター５は、テレビ会議記録再生装置１と接続され、テレビ会議記録再生装置１から出力された映像信号を入力し、表示する。
【００１５】
マイク６は、テレビ会議記録再生装置１と接続され、集音した音声を音声信号としてテレビ会議記録再生装置１へ出力する。スピーカー７は、テレビ会議記録再生装置１と接続され、テレビ会議記録再生装置１から出力された音声信号を入力し、音声を鳴らす。また、リモコン８は、利用者によるテレビ会議記録再生装置１の操作指示を受け付け、受け付けた操作指示に対応するリモコン信号をテレビ会議記録再生装置１に送信する。
【００１６】
録画ファイルサーバー９は、テレビ会議記録再生装置１および２から送信されたテレビ会議の録画ファイルを保存し、保存した録画ファイルをテレビ会議記録再生装置１、２およびパソコン１０に公開し、それら端末からの送信要求に応じて送信する。
【００１７】
パソコン１０は、録画ファイルサーバー９に保存されたテレビ会議の録画ファイルを受信し、再生し、ユーザによる視聴に供する。
【００１８】
＜２．テレビ会議記録再生装置のハードウェア構成＞
図２は、図１に示すテレビ会議記録再生システムでのテレビ会議記録再生装置１の内部構成の具体例を示すブロック構成図である。本実施の形態におけるテレビ会議記録再生装置１は、制御部１０１、メモリ１０２、映像エンコーダ１０３−１、音声エンコーダ１０３−２、映像デコーダ１０４−１、音声デコーダ１０４−２、ストリーム処理部１０５、記憶部１０６、映像処理部１０７−１，１０７−２、音声処理部１０８−１，１０８−２、リモコン処理部１０９、ネットワーク接続部１１０、バス１１１、映像入力端子１１２、映像出力端子１１３、音声入力端子１１４、音声出力端子１１５、リモコン入力端子１１６、ネットワーク接続端子１１７を備える。
【００１９】
制御部１０１は、バス１１１を介してテレビ会議記録再生装置１の各部に接続され、後述するように記憶部１０６に格納されたプログラムをメモリ１０２に展開し、展開したプログラム（後述する図３のソフトウェアを参照）を実行し、上記各部を制御することで各種プログラムに応じた機能を実現する。また、制御部１０１は、リモコン処理部１０９から入力した操作情報に応じてプログラムを制御する。以下の説明において、説明の便宜上、制御部１０１が実行するプログラムの処理について、記憶部１０６に格納された各プログラムを動作の主体として説明する場合がある。
【００２０】
映像エンコーダ１０３−１は、映像処理部１０７−２からの映像信号を入力し、入力した信号情報を圧縮し、映像データとしてストリーム処理部１０５に出力する。音声エンコーダ１０３−２は、音声処理部１０８−２からの音声信号を入力し、入力した信号情報を圧縮し、そ音声データとしてストリーム処理部１０５に出力する。映像デコーダ１０４−１は、ストリーム処理部１０５から出力された圧縮されている映像データを入力し、圧縮されている状態から映像信号に伸張展開する。音声デコーダ１０４−２は、ストリーム処理部１０５から出力された圧縮されている音声データを入力し、圧縮されている状態から音声信号に伸張展開する。
【００２１】
ストリーム処理部１０５は、エンコーダ１０３−１、１０３−２から入力した映像データおよび音声データを、他のテレビ会議記録再生装置に送信するための形式である映像ストリームおよび音声ストリームに変更したり、他のテレビ会議記録再生装置から受信した映像ストリームおよび音声ストリームを、デコーダ１０４−１、１０４−２で処理するための形式である映像データおよび音声データに変更するためのものである。映像ストリームおよび音声ストリームは、映像データおよび音声データに、ストリーム処理部１０５が生成した時間情報や映像および音声のフォーマット情報などのストリーム情報を付加したものである。
【００２２】
また、ストリーム処理部１０５は、テレビ会議を録画する際に、エンコーダ１０３−１、１０３−２から入力した映像データおよび音声データと、ネットワーク接続部１１０から入力した他のテレビ会議記録再生装置の映像ストリームおよび音声ストリームとを、録画ファイルとして記憶部１０６に出力する。テレビ会議の録画ファイルを再生する際は、記憶部１０６からテレビ会議の録画ファイルを入力し、デコーダ１０４−１、１０４−２へ映像データおよび音声データとして出力する。
【００２３】
記憶部１０６は、制御部１０１が実行するためのプログラムや、ストリーム処理部１０５から出力された録画ファイルをデジタルデータとして格納するためのものである。
【００２４】
映像処理部１０７−１は、映像出力端子１１３を制御し、映像デコーダ１０４−１から入力した映像信号を映像出力端子１１３へ出力する。映像処理部１０７−２は、映像入力端子１１２を制御し、映像入力端子１１２から入力した映像信号を映像エンコーダ１０３−１に出力する。音声処理部１０８−１は、音声出力端子１１５を制御し、音声デコーダ１０４−２から入力した音声信号を音声出力端子１１５へ出力する。音声処理部１０８−２は、音声入力端子１１４を制御し、音声入力端子１１４から入力した音声信号を音声エンコーダ１０３−２に出力する。
【００２５】
リモコン処理部１０９は、ユーザにより操作されるリモコン８により出力されたリモコン信号をリモコン入力端子１１６から入力し、入力したリモコン信号を、制御部１０１に操作情報として出力する。
【００２６】
ネットワーク接続部１１０は、ネットワーク接続端子１１７を介して、ネットワーク３を介して接続された他のテレビ会議記録再生装置とテレビ会議を行うために必要な映像ストリームおよび音声ストリームや、接続情報の送受信を行う。また、録画ファイルサーバー９と録画ファイルの送受信を行う。
【００２７】
映像入力端子１１２は、カメラ４と接続し、カメラ４から入力した映像信号を映像処理部１０７へ出力する。映像出力端子１１３は、モニター５と接続し、映像処理部１０７から入力した映像信号をモニター５へ出力する。
【００２８】
音声入力端子１１４は、マイク６と接続し、マイク６から入力した音声信号を音声処理部１０８へ出力する。音声出力端子１１５は、スピーカー７と接続し、音声処理部１０８から入力した音声信号をスピーカー７へ出力する。
【００２９】
＜３．テレビ会議記録再生装置のソフトウェア構成＞
図３は、図２におけるテレビ会議記録再生装置１で記憶部１０６から読み出されてメモリ１０２に展開されたプログラムの具体例を示す図であって、３０１は通信制御部、３０２は映像処理制御部、３０３は音声処理制御部、３０４はストリーム処理制御部、３０５はＧＵＩ（Ｇｒａｐｈｉｃａｌ Ｕｓｅｒ Ｉｎｔｅｒｆａｃｅ）部、３０６は録画部、３０７は再生部、３０８は認証部、３０９は秘話情報管理部である。
【００３０】
通信制御部３０１は、テレビ会議を行う際に、テレビ会議記録再生装置１のネットワーク接続部１１０などの各部を制御し、ネットワーク３を介して接続された他のテレビ会議記録再生装置との接続処理や、映像ストリームおよび音声ストリームの送受信を行うためのプログラムである。
【００３１】
映像処理制御部３０２は、テレビ会議を行う際に、映像処理部１０７−１、１０７−２などの各部を制御し、テレビ会議記録再生装置１と接続されたカメラ４から映像信号を入力したり、テレビ会議記録再生装置１と接続されたモニター５に映像を出力したりするためのプログラムである。音声処理制御部３０３は、テレビ会議を行う際に、音声処理部１０８などの各部を制御し、テレビ会議記録再生装置１と接続されたマイク６から音声信号を入力したり、テレビ会議記録再生装置１と接続されたスピーカー７に音声を出力したりするためのプログラムである。
【００３２】
ストリーム処理制御部３０４は、テレビ会議を行う際に、エンコーダ１０３−１、１０３−２、デコーダ１０４−１、１０４−２およびストリーム処理部１０５の各部を制御して、カメラ４から入力した映像信号とマイク６から入力した音声信号とその他の付加情報から映像ストリームおよび音声ストリームを生成したり、ネットワーク３を介して接続された他のテレビ会議記録再生装置から受信した映像ストリームおよび音声ストリームや、記憶部１０６に格納されている録画ファイルを、映像信号と音声信号に復号するためのプログラムである。
【００３３】
ＧＵＩ部３０５は、テレビ会議記録再生装置１に接続されたモニター５へ、利用者に認証処理画面などのアプリケーション画面の映像信号を出力したり、リモコン８の操作によりアプリケーションの制御を行ったりするためのプログラムである。
【００３４】
録画部３０６は、テレビ会議の会議内容を録画するためのプログラムである。録画部３０６は、ストリーム処理制御部３０４を制御し、テレビ会議記録再生装置１に接続されたカメラ４が撮影した映像およびマイク６が集音した音声や、ネットワーク３を介して接続された他のテレビ会議記録再生装置から受信した映像ストリームおよび音声ストリームを、録画ファイルとして記憶部１０６に格納することができる。
【００３５】
再生部３０７は、記憶部１０６に格納された録画ファイルを再生して、テレビ会議記録再生装置１に接続されたモニター５へ再生した映像信号を出力したり、テレビ会議記録再生装置１に接続されたスピーカー７へ音声信号を出力するためのプログラムである。
【００３６】
認証部３０８は、記憶部１０６に格納された録画ファイルの再生を行う際に、パスワードの入力などを利用者に要求し、認証を行うことで、再生可否を決定するためのプログラムである。
【００３７】
秘話情報管理部３０９は、テレビ会議時に、ネットワーク３を介して接続された他のテレビ会議記録再生装置に自分側の音声が聞こえないようにする秘話状態で録画を行う場合に、秘話状態を開始した時間情報などの秘話情報を管理するためのプログラムである。秘話情報は記憶部１０６に格納される。または、ストリーム処理制御部３０４へ秘話情報を出力し、ストリーム処理制御部３０４が音声ストリームに秘話情報を付加情報として付与する方法をとっても良い。
【００３８】
ここで、秘話状態とは、テレビ会議の相手に自分側の音声を聞こえないようにした状態である。相手側に聞かれては困る内容を自分側の出席者間で会話するための機能である。秘話状態に対して、相手に自分側の音声が聞こえる状態を通常通話状態とする。テレビ会議記録再生装置１はリモコン８の操作により（例えば、リモコン８に通常通話ボタンと秘話ボタンを設けていずれかのボタンを操作して）、通常通話状態と秘話状態の切り替えを行うことができる。
【００３９】
秘話状態では、会議相手のテレビ会議記録再生装置へ、自分側の音声の聞こえない形式の音声ストリームが送信される。この形式の音声ストリームは次のように生成される。秘話状態では、ストリーム処理制御部３０４が、音声エンコーダ１０３−２から出力された音声データを記憶部１０６に格納されている暗号鍵で暗号化し、秘話状態であることを示す秘話フラグを付与した秘話音声ストリームとして出力する。暗号鍵は、テレビ会議記録再生装置１固有のものである。または、録画するごとに認証部３０８が固有の暗号鍵を生成しても良い。
【００４０】
秘話音声ストリームは、暗号化された音声データを復号するための暗号鍵がない場合、再生をすることができない。会議相手となる他のテレビ会議記録再生装置は、この暗号鍵を持たないため、秘話音声ストリームを再生できない。ここでは、相手側に送信する音声ストリームは、音声データを暗号化する方法を採っているが、単にストリーム処理制御部３０４で、無音の音声データを音声ストリームとして送信する方法を採るなど、自分側の音声が相手に聞こえない方法であれば、どのような音声ストリームの送信方法を採っても構わない。
【００４１】
＜４．テレビ会議の記録方法＞
次に、テレビ会議記録再生装置１でのテレビ会議の記録方法について説明する。テレビ会議記録再生装置１は、利用者によりリモコン８に入力された操作指示に基づくリモコン信号をリモコン入力端子１１６から受信し録画を受け付けると、ＧＵＩ部３０５が、録画部３０６に対して録画開始を指示する。録画部３０６はストリーム処理部１０５から出力された、映像ストリームおよび音声ストリームを記憶部１０６に録画ファイルとして格納する。また、録画ファイルに関連する情報を次に説明する録画ファイルリストに記録する。
【００４２】
図４は、テレビ会議記録再生装置１の記憶部１０６に格納された録画ファイルリストの一具体例を示す図であって、４００は録画ファイルリスト、４０１はタイトル名、４０２は参加端末ＩＤ、４０３はパスワード、４０４は秘話部分のパスワード、４０５は時間情報、４０６は秘話情報、４０７はバイト位置である。
【００４３】
同図において、録画ファイルリスト４００は、テレビ会議記録再生装置１の記憶部１０６に格納された録画ファイルに関連する情報を記録したものである。タイトル４０１は録画ファイルのタイトル名、参加端末ＩＤ４０２は録画時のテレビ会議に参加していたテレビ会議記録装置の端末ID、パスワード４０３は録画ファイルを再生する際の認証に用いるパスワード、秘話部分のパスワード４０４は録画ファイルに含まれる秘話部分を再生する際の認証に用いるパスワード、時間情報４０５は一つのテレビ会議の録画中における通常通話状態時と秘話状態時とに区分けされた時間経過を表す情報、秘話情報４０６は時間情報４０５の示す当該時間経過における通常通話と秘話の区別を表す情報、バイト位置４０７は時間情報４０５の示す時間範囲のうち終端部分が録画ファイルのどの位置にあたるかをバイト単位で示す情報である。
【００４４】
タイトル４０１、パスワード４０３および秘話部分のパスワード４０４はテレビ会議の録画終了時に利用者がリモコン８を用いて入力する情報である。参加端末ＩＤ４０２は、テレビ会議に参加したテレビ会議記録再生装置固有の識別子である。識別子は記録部１０６に格納されており、テレビ会議を開始する際には発信側は会議の相手先の識別子を指定し、着信側は発信側の識別子を受信する。この識別子を、制御部１０１が録画開始時に参加端末ＩＤ４０２へ記録する。時間情報４０５、秘話情報４０６およびバイト位置４０７は秘話状態と通常通話状態を録画中に切り替えた際に記録される情報である。
【００４５】
次に、テレビ会議の記録時に通常通話状態と秘話状態を切り替えた場合の記録方法について説明する。利用者がリモコン８をボタン操作することで、テレビ会議の記録中に通常通話状態から秘話状態にすると、ストリーム処理部１０５は、暗号化して秘話フラグを付与した秘話音声ストリームを出力する。なお、通常通話状態と秘話状態の切り替え操作部は、リモコン８に限らず、テレビ会議記録再生装置１に設けたボタンを操作することで行うことでも良い。
【００４６】
録画部３０６は、通常通話状態の音声ストリームと同様に秘話音声ストリームを録画ファイルとして記憶部１０６に格納する。同様に、利用者がリモコン８を操作することで、録画中に秘話状態から通常通話状態にすると、ストリーム処理部１０５は、暗号化を行わず秘話フラグも付与しない通常の音声ストリームを出力し、録画部３０６はこの音声ストリームを録画ファイルとして記憶部１０６に格納する。
【００４７】
また、秘話情報管理部３０９は、録画中の通常通話状態と秘話状態の切り替え時刻と、切り替え時刻以降の状態(通常通話状態または秘話状態)を示す情報と、切り替え時刻に対応する録画ファイルのバイト位置を、記憶部１０６に格納している録画ファイルリスト４００の時間情報４０５、秘話情報４０６、バイト位置４０７にそれぞれ記録する。
【００４８】
＜５．秘話音声ストリームの再生処理＞
次に、秘話状態にした区間が含まれる秘話音声ストリームを再生する場合の方法について説明する。利用者によりリモコン８に入力された操作指示に対応するリモコン信号をリモコン入力端子１１６が受信して、テレビ会議記録再生装置１が、記憶部１０６に格納された録画ファイルの再生指示を受け付けると、ＧＵＩ部３０５が、再生部３０７に対して再生開始を指示する。再生部３０７は、記憶部１０６に格納された録画ファイルを読み出す。再生部３０７は、ストリーム処理制御部３０４に対して、読み出した録画ファイルに含まれる映像ストリームおよび音声ストリームのデコード処理を指示する。
【００４９】
ストリーム処理制御部３０４は、音声ストリームに秘話状態の区間が含まれているかの判定を行う。判定は、音声ストリームに付与されている秘話フラグの検出により行われる。一例として、秘話フラグは音声ストリームのパケット毎にそのヘッダに付与しても良い。また、別の判定方法として、再生部３０７により制御された秘話情報管理部３０９が、記憶部１０６に格納されている録画ファイルリスト４００を読み出し、時間情報４０５と秘話情報４０６に記述された情報により判別する方法を採っても良い。
【００５０】
ストリーム処理制御部３０４は、音声ストリームに秘話状態の区間が含まれていると判別すると、ＧＵＩ部３０５により、認証を行うための認証画面をモニター５に表示させる。認証画面は、利用者に対して、パスワードの入力を行わせるためのもので、あらかじめ設定されている正しいパスワードを入力しない限り、秘話音声ストリームを再生しないようにする。これにより、正しいパスワードを知らない不正な利用者に、秘話状態の際の会話内容を知られることを防ぐことができる。
【００５１】
秘話状態の音声ストリームの再生を行うために必要なパスワードは、テレビ会議記録再生装置１でテレビ会議の記録を行う場合に、ＧＵＩ部３０５がパスワード入力画面を表示し、利用者が入力したパスワードを記憶部１０６に格納している録画ファイルリスト４００の秘話部分のパスワード４０４として記録したものである。または、テレビ会議記録再生装置１が初めて利用に供される場合に、ＧＵＩ部３０５がパスワード入力画面を表示し、利用者から入力を受け付けたパスワードを記憶部１０６に格納し、以降はそのパスワードを継続して認証に使用する方法を採っても良い。
なお、図３に示す各部３０１〜３０９は、図２に示すメモリ１０２に展開されたプログラム（ソフトウェア）であるとして説明したが、プログラムに限らず、ハードウェア（例．ＩＣチップから構成されるもの）で同様な機能を実現させるようにしても良い。
【００５２】
図５は、本実施形態に関する認証部３０８で行う認証処理の具体例を示すフローチャートである。まず、再生部３０７が、音声ストリームに秘話状態の区間が含まれていると判別すると、ＧＵＩ部３０５を制御して、秘話状態の区間の音声ストリームの再生を行うための認証画面を表示する(Ｓ５０１）。認証画面にはパスワードの入力欄が表示され、利用者によるリモコン８の操作によりパスワードの入力を受け付ける。パスワードが入力されると、次の処理に移行する。
【００５３】
認証部３０８は、入力されたパスワードと記憶部１０６に格納された録画ファイルリスト４００のパスワード４０３とを照合することで認証の成否を判定する(Ｓ５０２)。認証に成功する（Ｓ５０２のＹ）と、認証部３０８は再生部３０７に認証に成功したことを通知し、再生部３０７は記憶部１０６に格納された暗号鍵を用いて、暗号化された音声ストリームを復号し、復号された音声ストリームをデコードして、秘話部分の音声信号を出力する(Ｓ５０３)。認証に失敗する（Ｓ５０２のＮ）と、認証部３０８は再生部３０７に認証に失敗したことを通知し、再生部３０７は秘話状態の区間の音声ストリームをデコードせず、音声処理部１０８を制御して無音の音声信号を出力する(Ｓ５０４)。
【００５４】
最後に、再生部３０７はＧＵＩ部３０５を制御して秘話状態の区間で、再生画面上に秘話状態であることがわかるような「秘話のアイコン」を画面に表示する（Ｓ５０５）。
【００５５】
＜６．録画ファイルを他の端末で再生する場合の処理＞
次に、テレビ会議記録再生装置１が録画した録画ファイルを他の端末（テレビ会議記録再生装置２およびパソコン１０）で再生する場合の処理方法について説明する。
【００５６】
テレビ会議記録再生装置１が録画した録画ファイルは、録画ファイルサーバー９へアップロードされることで、他の端末からアクセス可能な状態として、公開することができる。他の端末は、録画ファイルサーバー９から録画ファイルを取得して再生する。そこで、以下、録画ファイルのアップロードと、アップロードされた録画ファイルの再生に分けて説明する。
【００５７】
＜６．１  録画ファイルのアップロード＞
録画ファイルのアップロードは、テレビ会議記録再生装置１において録画を停止させた時点で処理を開始する。
【００５８】
録画ファイルサーバー９へのアップロード処理について、図６および図７を用いて説明する。
図６は、テレビ会議記録再生装置１の記憶部１０６に格納されたアップロードに関する設定ファイル６００の一具体例を示す図である。設定ファイル６００は、設定項目６０１および設定値６０２を対応付けて格納する。
【００５９】
設定項目６０１は、テレビ会議記録装置の動作設定項目を示す情報である。設定値６０２は、設定項目６０１の動作設定項目に対応する設定値を示す情報である。設定項目６０１および設定値６０２には、複数の設定項目および設定値がある。以下、各設定項目について説明する。
【００６０】
設定項目６０１の「録画ファイルのアップロード」は、テレビ会議記録再生装置１で録画した録画ファイルを録画ファイルサーバーにアップロードするかどうかを設定するための項目である。設定値６０２は、「YES」、「NO」、「毎回確認する」のいずれかである。
【００６１】
設定項目６０１の「秘話フラグつきの録画ファイルのアップロード」は、テレビ会議記録再生装置１の記憶部１０６に格納された秘話部分が含まれる録画ファイルをアップロードするかどうかを設定するための項目である。設定値６０２は、「YES」、「NO」、「毎回確認する」のいずれかである。
【００６２】
設定項目６０１の「秘話部分のアップロード」は、テレビ会議記録再生装置１の記憶部１０６に格納された秘話部分が含まれる録画ファイルのうち秘話部分をアップロードするかどうかを設定するための項目である。設定値６０２は、「YES」、「NO」、「毎回確認する」のいずれかである。
【００６３】
設定項目６０１の「録画ファイル単位のパスワード設定」は、録画ファイルサーバーの公開する録画ファイルをテレビ会議記録再生装置１，２またはパソコン１０で再生する際の認証手段としてパスワードを使用するかどうかを設定するための項目である。設定値６０２は、「入力済みパスワードを使用」、「新規に入力」、「しない」、「毎回確認する」のいずれかである。設定値６０２が「入力済みパスワードを使用」の場合は、録画ファイルリスト４００に記録されたパスワードを使用する。
【００６４】
図７は、本実施形態に関する録画ファイルのアップロードに関連する一連の処理の具体例を示すフローチャートである。まず、テレビ会議記録再生装置１で録画ファイルをアップロードするための処理を開始すると、ストリーム処理制御部３０４は、アップロード対象の録画ファイルに対応する録画ファイルリスト４００の秘話情報４０６に「ＹＥＳ」の部分があるかどうかを判定する（Ｓ７０１)。秘話情報４０６に「ＹＥＳ」の部分がある場合、ストリーム処理制御部３０４は、秘話状態の部分を含む録画ファイルをアップロードするかどうかを判定する（Ｓ７０２）。Ｓ７０２では、設定ファイル６００の設定項目「秘話フラグつきの録画ファイルのアップロード」の設定値に従って「Ｙ］か「Ｎ」かが判定される。Ｓ７０２の判定結果は、設定値が「ＹＥＳ」の場合の判定は「Ｙ」であり、設定値が「ＮＯ」の場合の判定は「Ｎ」である。設定値が「毎回確認する」の場合、ＧＵＩ部３０５は、利用者に録画ファイルをアップロードするかどうか確認する。確認においては、ＧＵＩ部３０５がモニター５に「秘話部分を含んでいますがアップロードしますか？ＹＥＳ／ＮＯ」といった確認画面を表示させ、利用者から「ＹＥＳ」または「ＮＯ」の入力を受け付け、ストリーム処理制御部３０４が、選択結果に従ってＳ７０２の判定を行う。選択結果が「ＹＥＳ」の場合、処理はＳ７０７へ進み、選択結果が「ＮＯ」の場合は処理を終了する。
【００６５】
Ｓ７０１の判定が「Ｎ」の場合、ストリーム処理制御部３０４は、録画ファイルをアップロードするかどうかの判定を行う（Ｓ７０３）。Ｓ７０３では、設定ファイル６００の設定項目「録画ファイルのアップロード」の設定値に従って「Ｙ］か「Ｎ」かが判定される。判定処理の内容は、モニター５に表示する確認画面の文章を除きＳ７０２と同じであり、確認画面の文章以外は説明を省略する。Ｓ７０３では、ＧＵＩ部３０５は、確認画面の文章として「録画ファイルのアップロードをしますか？ＹＥＳ／ＮＯ」をモニター５に表示させる。Ｓ７０３の判定が「Ｙ」の場合、処理はＳ７０７へ進み、判定が「Ｎ」の場合は処理を終了する。
【００６６】
Ｓ７０７で、ストリーム処理制御部３０４は、録画ファイルにパスワード設定するかどうかを判定する。判定は、設定ファイル６００の設定項目「録画ファイル単位のパスワード設定」の設定値に従って行われる。判定処理の内容は、モニター５に表示されるパスワード入力画面の文章を除きＳ７０２と同じであるため、当該文章以外は説明を省略する。Ｓ７０７で、ＧＵＩ部３０５は、当該文章として「録画ファイルにパスワードを設定しますか？ＹＥＳ／ＮＯ」をモニター５に表示させる。Ｓ７０７の判定が「Ｙ」の場合、処理はＳ７０８へ進み、判定が「Ｎ」の場合はＳ７０９の処理へ進む。
【００６７】
Ｓ７０７の判定が「Ｙ」の場合、ストリーム処理制御部３０４は、録画ファイルのパスワード設定を行う(Ｓ７０８）。パスワード設定に使用するパスワードは、設定ファイル６００の設定項目「録画ファイル単位のパスワード設定」により決定される。設定値が「入力済みパスワードを使用」の場合は、設定ファイル６００に記録されているパスワードが使用される。設定値が「新規に入力」または「毎回確認する」の場合は、ＧＵＩ部３０５がモニター５にパスワードの文字列を入力を促すパスワード入力画面を表示させ、利用者によるリモコン８の操作で入力されたパスワードに対応したリモコン信号をリモコン入力端子１１６が受信し、そのリモコン信号により伝送されたパスワードを使用する。
【００６８】
使用するパスワードが決定されると、ストリーム処理制御部３０４は、当該パスワードを録画ファイルリスト４００の秘話部分のパスワード４０４に記録する。
【００６９】
次に、ストリーム処理制御部３０４は、アップロードする録画ファイルに含まれる秘話の部分をアップロードするか秘話の部分を除いてアップロードするかの判定を行う（Ｓ７０９）。Ｓ７０９では、設定ファイル６００の設定項目「秘話部分のアップロード」の設定値に従って「Ｙ］か「Ｎ」かが判定される。判定処理の内容は、モニター５に表示する確認画面の文章を除きＳ７０２と同じであるため、確認画面の文章以外は説明を省略する。Ｓ７０９で、ＧＵＩ部３０５は、確認画面の文章として「秘話部分のアップロードをしますか？ＹＥＳ／ＮＯ」をモニター５に表示させる。Ｓ７０９の判定が「Ｙ」の場合はＳ７１０の処理へ進み、判定が「Ｎ」の場合はＳ７１１の処理へ進む。
【００７０】
Ｓ７１０では、ストリーム処理制御部３０４は、録画ファイルのアップロード処理を行う。テレビ会議記録再生装置１の記憶部１０６に格納された録画ファイルを、ネットワーク接続部１１０およびネットワーク接続端子１１７を介して、録画ファイルサーバー９へ転送する。また、あわせて、ストリーム処理制御部３０４は、秘話部分の暗号化に用いた暗号鍵も録画ファイルサーバー９へ転送する。
【００７１】
Ｓ７１１では、Ｓ７１０と同様に録画ファイルのアップロード処理が行われるが、録画ファイルの通常通話部分のみが録画ファイルサーバー９へ転送される。転送する部分は、録画ファイルリスト４００の秘話情報４０６が「Ｎｏ」の部分であり、ストリーム処理制御部３０４が、バイト位置４０７の情報を用いて該当部分の範囲を選択する。一例として、録画ファイルリスト４００のＮｏ．１の録画ファイルを転送する場合は、次の部分のみ転送する。録画ファイルの先頭から１０３４２４０バイト目の範囲、１２５９５２１バイト目から２０７８７２０バイト目の範囲および２５６０００１バイト目から２８６７２００バイト目の範囲である。
【００７２】
録画ファイルのアップロードが完了すると、Ｓ７１０およびＳ７１１で、ストリーム処理制御部３０４は、アップロードした録画ファイルに対応する録画ファイルリスト４００の情報を、ネットワーク接続部１１０およびネットワーク接続端子１１７を介して、録画ファイルサーバー−９に送信する。
【００７３】
録画ファイルサーバー９は、アップロードされた録画ファイルを管理するためのリストとして、録画ファイルリスト４００と同じ構成の公開ファイルリストを持つ。テレビ会議記録再生装置１から送信された録画ファイルリスト４００の情報は、録画ファイルサーバー９が公開ファイルリストに追記する。
【００７４】
＜６．２  アップロードされた録画ファイルの再生＞
次に、録画ファイルサーバー９にアップロードされた録画ファイルをテレビ会議記録再生装置２やパソコン１０により再生する方法について説明する。
【００７５】
一例として、テレビ会議記録再生装置１がアップロードした録画ファイルを、テレビ会議記録再生装置２で再生する場合について説明する。
【００７６】
まず、テレビ会議記録再生装置２は、録画ファイルサーバー９に接続し、ＧＵＩ部３０５が録画ファイルサーバー９の公開ファイルリストに含まれるタイトルの情報を取得する。
【００７７】
ＧＵＩ部３０５は、取得したタイトルの情報を用いて、利用者が視聴したいタイトルを選択するための画面をモニター５に表示させる。ここでのタイトルとは、録画ファイルまたは録画ファイル群を代表する名称を言う。ひとつの会議に対して共通のタイトルを付した複数の録画ファイル群が生成される場合がある。
【００７８】
ＧＵＩ部３０５が、タイトルを選択するための画面をモニター５に表示させる場合、タイトルとあわせて参加端末ＩＤ４０２を取得し、テレビ会議記録再生装置１の参加端末ＩＤが含まれるタイトルのみ表示するようにしてもよい。これにより、録画ファイルサーバー９に大量の録画ファイルが存在する場合でも、所望のタイトルを見つけ出しやすくなる。
【００７９】
利用者によるリモコン８の操作により再生したいタイトルの選択を受け付けると、ＧＵＩ部３０５は録画ファイルサーバー９に対して、選択したタイトルに対応する録画ファイルの取得要求を行う。
【００８０】
録画ファイルサーバー９は、公開ファイルリストの情報を確認し、取得要求を受けたタイトルに対応する録画ファイルにパスワード４０３が設定されている場合は、テレビ会議記録再生装置２に対して、認証の要求を行う。
【００８１】
テレビ会議記録再生装置１のＧＵＩ部３０５は、録画ファイルサーバー９からの認証要求を受けると、モニター５にパスワード入力画面を表示させ、利用者にパスワード入力を促す。利用者からのパスワード入力を受け付けると、ストリーム処理制御部３０４は、そのパスワードを録画ファイルサーバー９に送信する。録画ファイルサーバー９は、受信したパスワードが認証要求をおこなったタイトルのパスワードと一致し、認証に成功した場合のみ、そのタイトルに対応する録画ファイルおよび公開ファイルリストの情報をテレビ会議記録装置２に送信する。また、この録画ファイルに秘話部分が含まれている場合は、録画ファイルサーバー９は、あわせて対応する暗号鍵をテレビ会議記録再生装置２に送信する。
【００８２】
テレビ会議記録再生装置２で、録画ファイル、公開ファイルリストの情報、暗号鍵を取得後の再生処理は、テレビ会議記録再生装置1の記憶部１０６に格納されている録画ファイルを再生する方法と同様であるため説明を省略する。
【００８３】
パソコン１０で録画ファイルを再生する場合は、図３で示したようなプログラム（ソフトウェア）をパソコン上で動作させれば良い。パソコン１０では、録画を行う必要がないため、再生に関するプログラムが実行できれば良い。
【００８４】
以上で、テレビ会議記録再生装置１で録画したファイルを他のテレビ記録再生装置およびパソコンで再生することができ、録画ファイルの再生の利便性が向上する。
【００８５】
＜７．録画ファイルのアップロード中にテレビ会議機能を使用する場合の処理＞
次に録画ファイルのアップロード中にテレビ会議機能を使用する場合のアップロード処理方法について説明する。
【００８６】
録画ファイルのアップロード中にはファイルの転送のためにネットワークの帯域を使用するため、テレビ会議で使用する帯域が制限されることになり、テレビ会議の映像および音声ストリームの送受信パケットが欠落するなどの影響が出る可能性がある。
【００８７】
これを解決するため、録画ファイルのアップロードとテレビ会議の使用が重複する場合は、アップロードの処理を一時停止し、テレビ会議のネットワーク帯域を優先して確保できるようにする。
【００８８】
この場合のアップロード処理方法について、図８と図９を用いて説明する。
【００８９】
図８は、テレビ会議記録再生装置１の予約リストの一具体例を示す図である。予約リストには、テレビ会議記録再生装置１の使用予定日時が記述されている。
【００９０】
予約リストは、テレビ会議記録再生装置の予約管理を行うサーバーが管理しているものであり、このサーバーは図示しないが、ネットワーク３上に存在し、テレビ会議記録再生装置１から接続可能とする。テレビ会議記録再生装置１は、この予約管理を行うサーバーから予約リストを取得することができる。
【００９１】
図９は、本実施形態に関するテレビ会議の使用状況に応じた録画ファイルのアップロードに関連する一連の処理の具体例を示すフローチャートである。本フローチャートは、図７のＳ７１０およびＳ７１１における録画ファイルサーバーへの録画ファイルの転送処理に該当するものである。
【００９２】
まず、テレビ会議記録再生装置１の処理が、Ｓ７１０またはＳ７１１のステップに進むと、ストリーム処理制御部３０４は、予約管理を行うサーバーから予約リストを取得する（Ｓ９０１）。次に、ストリーム処理制御部３０４は、アップロードの所要時間を算出する（Ｓ９０２）。アップロードの所要時間の算出は次のように行われる。テレビ会議記録再生装置１は、録画ファイルサーバー９との間で速度測定のためのデータの送受信を行い、単位時間当たりの通信速度を測定する。ストリーム処理制御部３０４は、録画ファイルのサイズを単位時間当たりの通信速度で割ることで、録画ファイルのアップロードにかかる所要時間を求める。
【００９３】
次に、ストリーム処理制御部３０４は、現在時刻からＳ９０２で求めたアップロード所要時間が経過するまでのあいだに、予約リストで予約されている会議が重複しないか判定する。重複する場合、処理はＳ９０４の処理へ進み、重複しない場合は現在時刻にアップロード所要時間を加算したものをアップロード完了予想時刻として、Ｓ９０５へ進む。
【００９４】
Ｓ９０４では、ストリーム処理制御部３０４は、予約リストに記述されている予約時刻の範囲と重複しない時刻にアップロード処理を行った場合に、アップロードが完了する予想時刻を算出する。算出方法の一例として、現在時刻が２０：００、アップロード所要時間が10分、予約時刻が２０：００−２１：００の場合は、予約時刻の終了時刻である２１：００にアップロード所要時間を加算した２１：１０が算出結果となり、これがアップロード完了予想時刻となる。
【００９５】
Ｓ９０５では、ＧＵＩ部３０５は、算出されたアップロード完了予想時刻をモニター５に表示させる。
【００９６】
次に、ストリーム処理制御部３０４は、録画ファイルのアップロードを開始する(Ｓ９０６）。アップロードの開始後、ストリーム処理制御部３０４は、アップロードが完了するまでの間、Ｓ９０７からＳ９１２の処理を実行する。
【００９７】
Ｓ９０７およびＳ９１２アップロードが完了するまで継続して行う処理のループ端を示す。アップロードが完了するとＳ９０７からＳ９１２の処理は終了する。
【００９８】
アップロード中に、テレビ会議機能の使用が開始されると、処理はＳ９０９へ進む（Ｓ９０８）。
【００９９】
Ｓ９０９では、ストリーム処理制御部３０４は、アップロードで使用している通信帯域幅を制限する必要があるかどうかの判定をおこなう。判定は、テレビ会議の通信において、送受信している映像および音声ストリームのパケットの欠落などのエラーが発生していないかどうかで行われる。発生している場合は、判定結果が「Ｙ」となる。判定結果が「Ｙ」の場合、処理はＳ９１０へ進み、判定結果が「Ｎ」の場合はＳ９１１へ進む。
【０１００】
Ｓ９１０では、ストリーム処理制御部３０４は、アップロード処理を一時停止する。Ｓ９１１では、ストリーム処理制御部３０４は、アップロードを継続する。アップロードが一時停止中であった場合、ストリーム処理制御部３０４は、アップロード処理を再開する。
【０１０１】
以上により、テレビ会議のための通信を阻害することなく、録画ファイルのアップロードを行うことができる。
【０１０２】
次に、本実施形態に係るテレビ会議記録再生装置が適用されるテレビ会議システムの構成例とその動作について、図１０を参照しながら以下説明する。図１０のテレビ会議システムは、図１に示すシステムのようなテレビ会議記録再生装置１とテレビ会議記録再生装置２の対からなるものとは異なり、複数のテレビ会議記録再生装置１〜ｎがネットワーク３で接続される構成である。
そして、テレビ会議のやり方として、テレビ会議記録再生装置１が主体となって他のテレビ会議記録再生装置２〜ｎのいずれかとテレビ会議を行うスタイルであってもよく（図１に示すテレビ会議記録再生装置１が会議の参加対象者としてテレビ会議記録再生装置２以外にも拡張したやり方）、その際の録画時に、テレビ会議記録再生装置１の内部同士の会話を秘話にする操作状態に応じて録画ファイルのアップロード時の制御を行うことは、図７、図９と同様の技術思想の範囲内のことである。
【０１０３】
なお、１つのテレビ会議記録再生装置が主体となる本構成例のような一地点による集中管理テレビ会議システムとは異なる構成も可能である。例えば、複数の多地点接続装置（ＭＣＵ、Ｍｕｌｔｉｐｏｉｎｔ  Ｃｏｎｔｒｏｌ  Ｕｎｉｔ）と呼ばれる、図示しない装置がネットワーク３に接続される構成において、各テレビ会議記録再生装置１〜ｎは、それぞれＭＣＵにネットワーク３を介して接続し、ＭＣＵを介してテレビ会議の映像および音声を相互に通信する、ＭＣＵによる集中管理テレビ会議システムも可能である。この場合は、ＭＣＵの備える記憶部が各種プログラム、録画ファイル、および録画ファイルリストを格納しても良い。また、ＭＣＵが録画ファイルサーバーの機能を持つ形態でもよい。また別の構成例として、各テレビ会議記録再生装置の各々が対称な機能を持ち、それぞれが主体となる、多地点による分散処理テレビ会議システムも可能である。その場合は、各テレビ会議記録再生装置が、録画ファイル、および録画ファイルリストを格納する。
【０１０４】
また、図１０に示す複数の装置１〜ｎは、そのいずれもが同時に会議の内容を視聴できることが前提であり、その際に装置１と装置２との間のテレビ会議の内容は、他の装置３〜ｎには秘話にしたい事情が生じる場合があり、装置１と装置２との間で特定の暗号鍵を規定しておいて、秘話状態で装置１，２間で会議をすることも（秘話状態の間において他の装置３〜ｎは装置１，２間の会議音声を聴取できない状態）、本発明の技術思想の範囲内である。つまり、１つの秘話に参加するテレビ会議記録再生装置の、異なる組合せごとに、暗号鍵を用意して、秘話とされる音声ストリームの視聴、記録、および再生において音声ストリームの暗号化および復号に利用できる。ＭＣＵによる集中管理テレビ会議システムにおいて、暗号鍵を作成するのは、ＭＣＵであり、多地点による分散処理テレビ会議システムにおいては、各テレビ会議記録再生装置の認証部３０８である。
【０１０５】
すなわち、複数の装置１〜ｎの内の特定の装置ｃ，ｄ同士の内部会話を装置ｃ，ｄを除いた他の装置に対して秘話にすることは、図１に示す装置１内の内部同士の会話を装置２に対して秘話にするということと、同様な技術思想を備えているのである。複数の装置１〜ｎの内の特定の装置ｃ，ｄ同士の秘話は、暗号鍵の互いの交換などで秘話を解除することができる。
【０１０６】
上記実施の形態によれば、録画中に秘話機能を使用した録画ファイルを、他の端末で再生可能なようにファイルサーバーへ転送して録画ファイルを公開する場合に、秘話機能を使用した部分を公開したくない場合、録画時に秘話機能の使用有無を記録した秘話情報に基づいて公開したくない部分を除いてファイルサーバーへ転送することができるようになり、情報セキュリティ面での使い勝手が向上する。
【０１０７】
なお、本実施例では、テレビ会議の録画中に秘話状態であることを示す秘話フラグを所定の録画区間に対応付けて録画ファイルに付して秘話状態を示し、設定ファイル６００で設定したアップロードの条件と前記付された秘話フラグとに応じて、録画ファイルのアップロードの方法を変化させたが、秘話状態と異なる状態を示す他のフラグを用いても良い。そのような他のフラグとして、例えば、記録された音声ファイルの利用を不許可とすることを示す情報や、記録された映像ファイルの利用を不許可とすることを示すフラグが考えられる。これらのフラグを用いた場合にも、設定ファイルでフラグに応じた処理を設定することにより、録画ファイルのアップロードを制限することができる。
【０１０８】
また、本実施例はテレビ会議システムに用いるものとして説明したが、必ずしもこれに限るものではなく、家庭用のテレビ電話や、パーソナルコンピュータを用いて映像および音声を通信するシステム等、通信ネットワークや通信回線を介して端末間で行われるその他の遠隔会議システムにも適用可能である。
【０１０９】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。各実施例の構成の一部について、他の構成の追加・削除・置換をすることが可能である。
【０１１０】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１１１】
また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【０１１２】
１，２  テレビ会議記録再生装置
３  ネットワーク
４  カメラ
５  モニター
６  マイク
７  スピーカー
８  リモコン
９  録画ファイルサーバー
１０  パソコン
１０１  制御部
１０２  メモリ
１０３  エンコーダ
１０４  デコーダ
１０５  ストリーム処理部
１０６  記憶部
１０７  映像処理部
１０８  音声処理部
１０９  リモコン処理部
１１０  ネットワーク接続部
１１２  映像入力端子
１１３  映像出力端子
１１４  音声入力端子
１１５  音声出力端子
１１６  リモコン入力端子
１１７  ネットワーク接続端子
３０１  通信制御部
３０２  映像処理制御部
３０３  音声処理制御部
３０４  ストリーム処理制御部
３０５  ＧＵＩ部
３０６  録画部
３０７  再生部
３０８  認証部
３０９  秘話情報管理部
４００  録画ファイルリスト
４０１  タイトル
４０２  参加端末ＩＤ
４０３  パスワード
４０４  秘話部分のパスワード
４０５  時間情報
４０６  秘話情報
４０７  バイト位置
６００  設定ファイル
６０１  設定項目
６０２  設定値
【図１】
2013115457.tif 000003
【図２】
2013115457.tif 000004
【図３】
2013115457.tif 000005
【図４】
2013115457.tif 000006
【図５】
2013115457.tif 000007
【図６】
2013115457.tif 000008
【図７】
2013115457.tif 000009
【図８】
2013115457.tif 000010
【図９】
2013115457.tif 000011
【図１０】
2013115457.tif 000012